(57)【要約】【課題】引戸用ガイドレールに沿い走行自在な車輪付き走行体と引戸に設けた支持部材との間を立装の支持軸で連結した引戸用ランナー装置につき、これに設けた引戸前後位置調整機構を特異回動機構の導入で耐磨耗性小型化等の実現を図る。【解決手段】引戸用ランナー装置の戸板前後位置調整機構１５が支持部材１１に設けられ左右動は阻止された回動操作螺子１５ａと、その回動操作による正逆螺回動により牽引・離反方向へスライド自在な直線スライダ１５ｂと、同上牽引・離反の動作により伝動機構１５ｃを介し連動し、支持軸１４に併装立設の回動基軸１５ｄを軸心Ｏにして、後方・前方へ回動自在な回動案内子１５ｅを備える。回動案内子１５ｅの自由端部１５ｆには位置調節口１５ｇが穿設されると共に、この位置調節口１５ｇには、前記支持軸１４が貫挿されている。【選択図】        図１
2004332374.tif 000002
【特許請求の範囲】
【請求項１】
引戸に固定された支持部材と、引戸用ガイドレールに沿って開閉動自在に走行する車輪付き走行体と、当該車輪付き走行体と上記の支持部材との間に立装連結された支持軸とを具備し、この支持部材には前記引戸用ガイドレールの配設位置に対して、前後方向への配装位置を変更自在に調節可能とした戸板前後位置調整機構を内設するようにした引戸用ランナー装置において、上記戸板前後位置調整機構が、前記の支持部材に設けられて左右移動は阻止された回動操作螺子と、その回動操作による正逆螺回動により牽引または離反方向へスライド自在な直線スライダと、当該直線スライダの牽引または離反の動作により伝動機構を介し連動され、前記の支持軸に併装立設の回動基軸を軸心にして後方または前方へ回動自在である回動案内子とを備え、この回動案内子の自由端部には、位置調節口が穿設されていると共に、この位置調節口には、前記支持軸が貫挿されていることを特徴とする引戸用ランナー装置。
【請求項２】
請求項１記載の引戸用ランナー装置において、回動案内子の自由端部には、支持部材の左右方向と前後方向に夫々長辺側と短辺側が形成されてなる位置調節口が穿設されていると共に、この位置調節口には支持軸がフラット面とアーク面を具有して、当該アーク面が位置調節口の短辺側または長辺側に当接し、かつ上記フラット面は短辺側および長辺側から可変離接間隙をもって遊貫されていることを特徴とする引戸用ランナー装置。
【請求項３】
請求項１記載の引戸用ランナー装置において、戸板前後位置調整機構が、支持部材に設けられて左右移動は阻止された回動操作螺子と、その回動操作による正逆螺回動により牽引または離反方向へスライド自在な直線スライダと、当該直線スライダの牽引または離反の動作により伝動機構を介して連動され、前記の支持軸に併装立設の回転基軸を軸心にして後方または前方へ回動自在である回動案内子とを備え、前掲伝動機構なるものは、当該回動案内子の回転基軸側である基部から突出された起動用首部と、その先端に膨設した弧状突起と、当該弧状突起が回動自在に係嵌されるよう前記の直線スライダに欠設された枢支用欠設凹所とにより構成されていることを特徴とする引戸用ランナー装置。
【発明の詳細な説明】
【０００１】
【発明の属する技術分野】
本発明は収納家具とか室の出入口などを開閉自在とするために用いられている引戸の走行装置に関し、特に当該引戸の前後配装位置を手動操作により任意寸法となるよう調整することのできる引戸用ランナー装置に係るものである。
【０００２】
【従来の技術】
【特許文献１】特許第３３５９２９６号公報
上記特許文献１には本願の図５ないし図７に引用した通りの引戸用ランナー装置１なるものが開示されている。
すなわち、まず説明図である図５により理解される通り、この種の引戸用ランナー装置１は、引戸２のコーナ箇所などに固設された支持部材３と、引戸２の上位に配設されている引戸用ガイドレールＧＬに沿って開閉自在なるよう走行することになる車輪付き走行体４と、当該車輪付き走行体４と上記の支持部材３との間にあって立装連結されて、引戸２を懸垂することになる支持軸５とを具備したものである。
そして上記の引戸用ランナー装置１には同図の支持部材３における上位側に引戸前後位置調整機構６が、その下位側には引戸上下位置調整機構７が夫々支持部材３に支設されている支持軸５に対して装設されている。
【０００３】
ここで下位側である上記の戸板上下位置調整機構７の方は、引戸２を手動操作により引戸用ガイドレールＧＬに対して上下方向へ変位させて、当該引戸２の高さを所望配置に設定し得るものであるが、これについては図５にあっても仮想線で示してあるように、本願発明の内容とは直接関係のない機構であるので、その上位に配設されている引戸前後位置調整機構６のみについて当該従来例につき以下説示する。
【０００４】
従来例ではその螺杆である操作部６ａをドライバ等により右または左へ回動すれば、これに螺合されているスライダ６ｂを、図示されてないホルダ内で横方向へ夫々矢印Ｄ１、Ｄ２方向の如くスライドさせることができ、この結果図６により理解される通り前掲支持軸５に対してスライダ６ｂに穿設された案内溝６ｃが摺動されることとなることから、この結果当然不動状態にある支持軸５に対してスライダ６ｂが夫々前後方向へ相対的な位置変動を生ずることになる。
この結果当然引戸用ガイドレールＧＬに対する引戸２の前後位置を可変自在に調整できることになり、この際支持軸５の円弧面５ｂ、５ｂに案内溝６ｃ、６ｃが当接して摺動することから、当該変動が円滑に実施できるとしている。
ここで図７は上記の説示を、より理解し易くするためのもので、支持部材３の天面３ａを支持軸５の横断により開示した平面図であり、天面３ａに開成した挿通口３ｂと支持軸５の前後に離間した調整用スペースＳだけ、引戸２の前後方向への位置調整ができるようにしていることを開示している。
【０００５】
【発明が解決しようとする課題】
上説の従来例によるときは、確かに引戸前後位置調整機構６における特異形態であるスライダ６ｂの支持軸５に対するスライドによって、引戸２を前後方向へ簡易な作業で可変調整できるようにしてあるため、全体構造の簡潔化、小型化、低廉化が可能となる利点を発揮し得ることになる。
本願の請求項１にあっては上記従来の発明に係る内容に徴し、さらにその利点を助長しようとしており、特に従来の引戸前後位置調整機構にあっては、部材相互の直線的な摺動箇所が存することに変えて特異な回動機構を導入することに着目し、これによって、前説従来例の如く案内溝６ｃと支持軸５とが可成りの距離にわたり摺動してしまうことによる部分的な摩耗損による懸念を解消しようとしている。さらに本発明では特に支持軸５について、これを単なる丸棒状ではなしに、各一対の平坦面５ａ、５ａと弧状面５ｂ、５ｂとに形成しなければならず、また充分に小型化の要望を充足し得ないなどの難点をも指摘することができる。
【０００６】
そして請求項２では、上記請求項１の構成に係る一実施態様を示したもので、請求項１の場合に従来例の如く支持軸５につき、これを丸棒状に形成して採択するだけでなく、当該従来例と同じく平坦面５ａ、５ａと弧状面５ｂ、５ｂとによって形成するようにしても、請求項１と同様の効果を発揮し得るようにして、製作上の融通性をよくしようとしている。
そして、さらにまた請求項３にあっては、上記請求項１の構成に係る一実施態様を示したもので、請求項１につき上記した回動機構を特定構造のものに選定することで、より請求項１の発明による効果に信頼性を付与できるようにしようとしている。
【０００７】
【課題を解決するための手段】
本願発明は上記の目的を達成するため請求項１にあっては、引戸に固定された支持部材と、引戸用ガイドレールに沿って開閉動自在に走行する車輪付き走行体と、当該車輪付き走行体と上記の支持部材との間に立装連結された支持軸とを具備し、この支持部材には前記引戸用ガイドレールの配設位置に対して、前後方向への配装位置を変更自在に調節可能とした戸板前後位置調整機構を内設するようにした引戸用ランナー装置において、上記戸板前後位置調整機構が、前記の支持部材に設けられて左右移動は阻止された回動操作螺子と、その回動操作による正逆螺回動により牽引または離反方向へスライド自在な直線スライダと、当該直線スライダの牽引または離反の動作により伝動機構を介し連動され、前記の支持軸に併装立設の回動基軸を軸心にして後方または前方へ回動自在である回動案内子とを備え、この回動案内子の自由端部には、位置調節口が穿設されていると共に、この位置調節口には、前記支持軸が貫挿されていることを特徴とする引戸用ランナー装置を提供しようとしている。
【０００８】
請求項２にあっては請求項１記載の引戸用ランナー装置において、回動案内子の自由端部には、支持部材の左右方向と前後方向に夫々長辺側と短辺側が形成されてなる位置調節口が穿設されていると共に、この位置調節口には支持軸がフラット面とアーク面を具有して、当該アーク面が位置調節口の短辺側または長辺側に当接し、かつ上記フラット面は短辺側および長辺側から可変離接間隙をもって遊貫されていることを特徴とする引戸用ランナー装置に係るものである。
【０００９】
そして請求項３では、請求項１記載の引戸用ランナー装置において、戸板前後位置調整機構が、支持部材に設けられて左右移動は阻止された回動操作螺子と、その回動操作による正逆螺回動により牽引または離反方向へスライド自在な直線スライダと、当該直線スライダの牽引または離反の動作により伝動機構を介して連動され、前記の支持軸に併装立設の回転基軸を軸心にして後方または前方へ回動自在である回動案内子とを備え、前掲伝動機構なるものは、当該回動案内子の回転基軸側である基部から突出された起動用首部と、その先端に膨設した弧状突起と、当該弧状突起が回動自在なるよう係嵌されるように前記した直線スライダに欠設された枢支用欠設凹所とにより構成されていることを特徴とする引戸用ランナー装置を、その内容としている。
【００１０】
【発明の実施の形態】
本願請求項１の発明に係る引戸用ランナー装置自体の基本的な構成は、前説した従来例のそれと同一性を有しており、これについてまず図７に対応する図１（Ａ）によって以下説示すると、引戸１０に固定された支持部材１１と、引戸用ガイドレール１２に沿って開閉自在に走行する車輪付き走行体１３と、当該車輪付き走行体１３と上記の支持部材１１との間にあって立装連結された支持軸１４とを具備しており、この支持部材１１には前記の引戸用ガイドレール１２の配設位置に対して、前後方向へ配装位置を変更自在に調節可能とした引戸前後位置調整機構１５が内設されている。
【００１１】
さて、ここで本発明では上記のような引戸用ランナー装置にあって設けられている戸板前後位置調整機構１５の構成に特徴を有しているのであり、そこでまずその詳細について説示した後、補足的に引戸用ランナー装置を全体的に組成する手段について記載するが、その補足的な内容自体は本質的に前記従来例のそれと近似している。
また、前記従来例の説示箇所にあっても記述した通り、図面中に引戸上下位置調整機構１６をも開示しているが、これも従来例における引戸上下位置調整機構７と同構成であり、請求項１自体における構成部材ではないので、その説明は省略するようにしている。
【００１２】
そこでまず戸板前後位置調整機構１５自体について以下詳記すると、請求項１にあっては図１、図４そして図５によって理解される通り、引戸１０のコーナ部などに固設するようにした支持部材１１に装設されており、しかもその構成部材なるものは、引戸１０の幅方向である左右の方向へは移動されることが阻止されるようにした回動操作螺子１５ａと、その回動操作による正逆螺回動により牽引方向Ｐ１または離反方向Ｐ２へスライド自在なるよう形成された図示例では平面視フック状である直線スライダ１５ｂとを具備している。そしてさらにこの直線スライダ１５ｂの上記した牽引または離反方向Ｐ１、Ｐ２への動作によって伝動機構１５ｃを介して連動された結果、前説した支持軸１４に併装立設されている回動基軸１５ｄを軸心Ｏとして、前記引戸用ガイドレール１２の後方であるか前方へ回動自在である回動案内子１５ｅとを具備している。
【００１３】
さらにこの回動案内子１５ｅの自由端部１５ｆには図１の一実施態様の場合、楕円状に形成した位置調節口１５ｇなるものが、前記の支持軸１４との関係をもって穿設されている。
すなわち、前記した支持部材１１の左右方向と前後方向とには、夫々長径側Ｘと短径側Ｙとが形成されるようにした楕円状である位置調節口１５ｇが、上記した自由端部１５ｆに穿設開口されているのである。
しかも本発明ではこの楕円状とした位置調節口１５ｇ内にあって、円形状断面すなわち丸棒状に形成された前記の支持軸１４が、上記の短径側Ｙにあっては当接しているが、前同長径側Ｘとは可変離接間隙ｄ１、ｄ２をもたせて遊貫されるようにしてある。
【００１４】
従って上記構成を具有させてなる前後位置調整機構１５によるときには、例えば図３に示す如く引戸１０のコーナ部に埋め込むようにして取着されている前記支持部材１１の正面に向かって、ドライバ等の回動操作により回動操作螺子１５ａを表示「右」の矢印の如く螺回すれば、これに螺合する直線スライダ１５ｂは、図１（Ｂ）により理解される通り回動操作螺子１５ａにより引き付けられて、牽引方向Ｐ１へ向け（左方向）支持部材１１に案内されて直線的にスライドすることになる。
この結果伝動機構１５を介して外力を付与された回動案内子１５ｅは、支持部材１１に支承の回動基軸１５ｄにおける軸心Ｏを中心として矢印ｒ１方向へ回動することになり、この際前述の如く支持軸１４は不動状態で吊設されているのであるから、図１（Ｂ）により明らかな通り当該支持軸１４に対して支持部材１１全体すなわち引戸１０全体が矢印ｔ１である前方へ変動することになる。
【００１５】
この際前記の如く楕円状とした位置調節口１５ｇと支持軸１４との間には、可変離接間隙ｄ１、ｄ２が形成されているので、上記の如き引戸１０の前方変移が支障なく実施できることになる。
従って自明のことではあるが、上記とは反対の図５における表示「左」の矢印方向へ回動操作螺子１５ａを回動させれば、今度は回動操作螺子１５ａが牽引ではなく離反方向へ移動され、この結果回動案内子１５ｅの自由端部１５ｆは矢印ｒ２方向へ回動して、不動状態の支持軸１４に対して支持部材１１すなわち引戸１０が後方である矢印ｔ２の方向へ偏動して行くことになり、当該偏動の程度はもちろん回動操作螺子１５ａの回動度合に比例し、かくして引戸１０は所望長だけ所要の前後方向へその位置を変移させることが可能となる。
そして上記の説示から理解される如く、支持部材１１の前後方向への変動に支障が生じないように、図１（Ｃ）に明示の如く支持部材１１における天井部１１ａには天窓１１ｂを開口するなどして、この中を貫通した不動状態の支持軸１４に対し、支持部材１１が前後に移動できるように、当該天窓１１ｂ等を適宜の形状に開設させておくのが望ましい。
【００１６】
さて上記の一実施態様では、位置調節口１５ｇに楕円状のものを採択し、しかも支持軸１４に丸棒を選定した場合を例示しているが、もちろん、これに限定さるべきものでなく、請求項１に明記の通り当該位置調節口１５ｇには、支持軸１４が貫挿すなわち遊びをもたせて貫入されていればよいということになる。
【００１７】
そこで、上記の位置調節口１５ｇと支持軸１４の他実施態様について開示の請求項２について図２、図３を参照して説示すると以下の通りである。
すなわち請求項２では、請求項１記載の引戸用ランナー装置において、回動案内子１５ｅの自由端部１５ｆには、支持部材１１の左右方向と前径方向に夫々長辺側ＬＬと短辺側ＳＳが形成されてなる位置調節口１５ｇが穿設されていると共に、この位置調節口１５ｇに貫挿されている前記の支持軸１４は前実施態様とは違って丸棒状のものではなく、前掲引用例と同様にしてフラット面Ｆとアーク面Ａを具有しているのである。
そして上記のアーク面Ａが位置調節口１５ｇの短辺側ＳＳまたは長辺側ＬＬ側に当接し、かつ上記フラット面Ｆは短辺側ＳＳおよび長辺側ＬＬから可変離接間隙ｄ１、ｄ２をもって遊貫されているようにしてあり、かくして図１の場合と同等の作用を果たすことが可能である。
【００１８】
次に請求項１の実施態様項である請求項３について以下説示すると、ここでは請求項１における前掲伝動機構１５ｃに関しており、これについてはもちろん各種の伝動機構構成を採択することができるが、その一例につきこれを明示するようにしている。
すなわち、前記した回動案内子１５ｅの回動基軸１５ｄ側である基部１５ｈから突設された起動用首部１５ｉと、その先端に膨設した弧状突起（球状）１５ｊが回動自在なるよう前記の直線スライダ１５ｂに欠設した枢支用欠設凹所１５ｋとで、当該伝動機構１５ｃを具現するようにしている。なおここで図１（Ｂ）における１１ｂは、上記弧状突起１５ｊの動きに支障を生じさせないようにするため、前記の支持部材１１に切欠した欠設部を示している。
そして当該請求項２によるときは、請求項１により説示したよう伝動機構１５ｃの役割を充分に達成し得ることもちろんであり、ここでの詳説は省略されている。
【００１９】
ここで前置きした通り本願発明の構成を、より理解し易くするための補強的な説明を行えば、まず引戸１０に支持部材１１を着脱自在なるようセットさせるための一実施例を示すと、図２に明示のように支持軸１４を鉛直状に固定させるため、その下端部１４ａが支持部材１１に固設してあり、またこの支持部材１１は図３の如く矢印ｕ方向へ移行させることで、予め引戸１０のコーナ箇所に木螺子ｖなどで止着しておいた受納カップ１０ａに収納すると共に、その抜止部１０ｂに対して、支持部材１１のロック用弾持具１１ｃを掛け外し自在なるよう係着可能としている。
【００２０】
次に図２ないし図４によって前掲引戸用ガイドレール１２、車輪付き走行体１３に関し、既知の機構であるけれども略説すると、まず引戸用ライドレール１２は跨座式のもので、これに２対４輪の車輪１３ａを備えた車輪付き走行体１３が走行自在に懸吊状態となっており、図２と図４に示されいる１３ｂは支持軸１３を上記の車輪付き走行体１３に止着した抜止ピンを示している。
【００２１】
【発明の効果】
本願の請求項１に係る引戸用ランナー装置によるときは、従来例における主要部材相互間における直線的なスライドを不可欠としている構成に比し、主要部材間の回動機構を適切に採択することにより、従来例の局部的な摩耗損による耐久性の劣化を解消することができるだけでなく、支持軸を単なる丸棒でもできるようにすることで、これに対する特別な加工を排除することもできる。
しかも上記した回動機構の導入により従来例に比し、その引戸前後位置調整機構の構造に関し簡潔化そして小型化さらには低廉化を可能とすることができ、従って所定の形態寸法条件下にあって引戸の前後方向への変移寸法を充分に付与することも可能となる。
さらに請求項２にあっては、上記請求項１における支持軸と回動案内子の自由端部に開設させた位置調節口と相対的関係位置に係る実施態様例を開示することで、本願請求項１の請求範囲をより明確にすると共に、その具体的効果を鮮明にするようにしてある。
【００２２】
そして請求項３によるときは、上記の回動機構として回動案内子の回動基軸側である基部から突出の起動用首部先端に弧状突起を設け、これを直線スライダに欠設の枢支用欠設凹所に回動自在なるよう係嵌する構成に特定したので、請求項１の前記効果につき、その信頼性をより向上させることができる。
【図面の簡単な説明】
【図１】本発明に係る引戸前後位置調整機構を具備した引戸用ランナー装置の要部を示した（Ａ）はその斜視説明図、（Ｂ）は上記引戸前後位置調整機構の横断平面図で、（Ｃ）は支持部材の天井部を示す平面図である。
【図２】請求項２に係る引戸前後位置調整機構の横断平面図である。
【図３】同じく請求項２に係る引戸前後位置調整機構の異種実施例を示した横断平面図である。
【図４】引戸の一コーナ箇所に本発明に係る引戸用ランナー装置を装填した状態の要部縦断正面図である。
【図５】図２に係る引戸用ランナー装置の一部を切欠して示した左側面図である。
【図６】図２の如き引戸用ランナー装置の装填完成状態を得るため、戸板の引戸に装着した受納カップに、引戸用ガイドレール車輪付き走行体を介して懸吊した支持部材を矢印方向へ走行して装填する直前状態を示した一部切欠の正面図である。
【図７】特許文献１に係る従来例である引戸前後位置調整機構を具備した引戸用ランナー装置の要部を示した斜視説明図である。
【図８】図５に示した引戸用ランナー装置の引戸用前後位置調整機構を示す平面図である。
【図９】図５に示した引戸用ランナー装置における支持部材の天面を示す平面図である。
【符号の説明】
１０    引戸
１１    支持部材
１２    引戸用ガイドレール
１３    車輪付き走行体
１４    支持軸
１５    引戸前後位置調整機構
１５ａ  回動操作螺子
１５ｂ  直線スライダ
１５ｃ  伝動機構
１５ｄ  回動基軸
１５ｅ  回動案内子
１５ｆ  自由端部
１５ｇ  位置調節口
１５ｈ  基部
１５ｉ  起動用首部
１５ｊ  弧状突起
１５ｋ  枢支用欠設凹所
ｄ１    可変離接間隙
ｄ２    可変離接間隙
Ｏ      軸心
Ｐ１    牽引方向
Ｐ２    離反方向
Ｘ      長径側
Ｙ      短径側
ＬＬ    長辺側
ＳＳ    短辺側
Ａ      アーク面
Ｆ      フラット面
【図１】
2004332374.tif 000003
【図２】
2004332374.tif 000004
【図３】
2004332374.tif 000005
【図４】
2004332374.tif 000006
【図５】
2004332374.tif 000007
【図６】
2004332374.tif 000008
【図７】
2004332374.tif 000009
【図８】
2004332374.tif 000010
【図９】
2004332374.tif 000011